(57)【要約】【課題】  いくつかのLEDと１〜２個程度のキーのみで、液晶などの表示部を持たないホストベースプリンタのような安価なプリンタにおいて、ジョブの管理情報を増やすことなく、かつ、液晶など表示部を付加することなく、プリンタの状態に応じた印刷ジョブキャンセルの禁止を可能にし、対象外の印刷ジョブがキャンセルされてしまうことを極力回避する。【解決手段】  画像形成処理装置において、印刷ジョブの状態と、各種印刷ジョブの状態に応じて印刷ジョブのキャンセルを許可するか否かを設定することができ、該設定と、印刷キャンセル要求が入力された時点での印刷ジョブの状態とに基づき、印刷ジョブのキャンセル実行の有効／無効を切り替える。【選択図】  図１
2007058661.tif 000002
【特許請求の範囲】
【請求項１】
画像形成処理装置において、
装置単体で印刷ジョブのキャンセル要求を利用者に選択させるための入力手段と、
第１の状態における前記印刷ジョブのキャンセル要求の可否設定を保持する第１のキャンセル可否設定保持手段と、
第２の状態における前記印刷ジョブのキャンセル要求の可否設定を保持する第２のキャンセル可否設定保持手段と、
前記印刷ジョブの状態を判定するためのジョブ状態判定手段と、
前記ジョブ状態判定手段と、前記第１のキャンセル可否設定保持手段と、前記第２のキャンセル可否設定保持手段との組み合わせに応じて、前記入力手段による前記ジョブのキャンセル要求が有効であるか無効であるかを判定するキャンセル可否判定手段と、
前記キャンセル可否判定手段の判定結果に基づいて、印刷ジョブのキャンセル実行の有無を制御する印刷ジョブキャンセル制御手段とを有することを特徴とする画像形成装置。
【請求項２】
請求項１記載の画像形成処理装置において、前記第１の状態はジョブが印刷中であることを指し、かつ、前記第２の状態はジョブがエラー中または一時停止中であることを指すことを特徴とする画像形成装置。
【請求項３】
画像形成処理装置における制御方法であって、
第１の状態における印刷ジョブのキャンセル要求の可否設定を保持し、
加えて、第２の状態における前記印刷ジョブのキャンセル要求の可否設定を保持し、
装置単体で前記印刷ジョブのキャンセル要求を利用者に選択させ、
前記印刷ジョブの状態を判定し、
前記ジョブの状態判定と、前記第１のキャンセル可否設定と、前記第２のキャンセル可否設定との組み合わせに応じて、前記利用者による前記ジョブのキャンセル要求が有効であるか無効であるかを判定し、
前記ジョブのキャンセル要求が有効であるか無効であるかの判定結果に基づいて、印刷ジョブのキャンセル実行の有無を制御する、
というステップからなることを特徴とする画像形成装置の制御方法。
【請求項４】
請求項３記載の画像形成処理装置の制御方法において、前記第１の状態はジョブが印刷中であることを指し、かつ、前記第２の状態はジョブがエラー中または一時停止中であることを指すことを特徴とする画像形成装置の制御方法。
【発明の詳細な説明】
【技術分野】
【０００１】
本発明は、プリンタやデジタル複合機などの画像形成装置に係り、いくつかのLEDと１〜２個程度のキーのみで、液晶などの表示部を持たないホストベースプリンタのような安価なプリンタおよびその制御方法に関するものである。
【背景技術】
【０００２】
いくつかのLEDと１〜２個程度のキーのみで、液晶などの表示部を持たないホストベースのような安価なプリンタにおいて、ホスト側のステータスウィンドウ等を用いて特定の印刷ジョブを遠隔でキャンセルすることができる装置が既に存在する。
【０００３】
加えて、上記のようなプリンタにおいても、特にネットワークに対応した装置の場合、装置側の操作で印刷ジョブのキャンセルを実行できることが求められている。
【０００４】
しかし、液晶などの表示部を持たない装置なので、装置単体では実際にキャンセルする印刷ジョブを特定することが難しく、対象外の印刷ジョブをキャンセルしてしまうことが考えられる。これに対して、特許文献１において、印刷ジョブ単位でキャンセルの可否を設定する方法が提案されている。
【特許文献１】特開2005-067072号公報
【発明の開示】
【発明が解決しようとする課題】
【０００５】
しかしながら、上記発明によれば、ジョブ毎にキャンセルの可否を設定させるため、ジョブの管理情報を増やす必要がある。上記のような安価なプリンタでは、ほんの少しのメモリ容量の増加も製品コストに大きな影響を与えることがあるので、前記の状況は望ましくない。
【０００６】
本発明は、上記問題点に鑑みてなされたものであり、いくつかのLEDと１〜２個程度のキーのみで、液晶などの表示部を持たないホストベースプリンタのような安価なプリンタにおいて、ジョブの管理情報を増やすことなく、かつ、液晶など表示部を付加することなく、プリンタの状態に応じた印刷ジョブキャンセルの禁止を可能にし、対象外の印刷ジョブがキャンセルされてしまうことを極力回避することができる装置とその方法を提供することを目的とする
【課題を解決するための手段】
【０００７】
上記目的を達成するために、本発明の画像形成装置は以下の構成からなる。すなわち、画像形成処理装置において、装置単体で印刷ジョブのキャンセル要求を利用者に選択させるための入力手段と、第１の状態における前記印刷ジョブのキャンセル要求の可否設定を保持する第１のキャンセル可否設定保持手段と、第２の状態における前記印刷ジョブのキャンセル要求の可否設定を保持する第２のキャンセル可否設定保持手段と、前記印刷ジョブの状態を判定するためのジョブ状態判定手段と、前記ジョブ状態判定手段と、前記第１のキャンセル可否設定保持手段と、前記第２のキャンセル可否設定保持手段との組み合わせに応じて、前記入力手段による前記ジョブのキャンセル要求が有効であるか無効であるかを判定するキャンセル可否判定手段と、前記キャンセル可否判定手段の判定結果に基づいて、印刷ジョブのキャンセル実行の有無を制御する印刷ジョブキャンセル制御手段とを有することを特徴とする。
【０００８】
あるいは、本発明の画像形成装置の制御は以下のステップから構成される。すなわち、画像形成処理装置において、第１の状態における印刷ジョブのキャンセル要求の可否設定を保持し、加えて、第２の状態における前記印刷ジョブのキャンセル要求の可否設定を保持し、装置単体で前記印刷ジョブのキャンセル要求を利用者に選択させ、前記印刷ジョブの状態を判定し、前記ジョブの状態判定と、前記第１のキャンセル可否設定と、前記第２のキャンセル可否設定との組み合わせに応じて、前記利用者による前記ジョブのキャンセル要求が有効であるか無効であるかを判定し、前記ジョブのキャンセル要求が有効であるか無効であるかの判定結果に基づいて、印刷ジョブのキャンセル実行の有無を制御する、
というステップからなることを特徴とする。
【発明の効果】
【０００９】
本発明によれば、いくつかのLEDと１〜２個程度のキーのみで、液晶などの表示部を持たないホストベースプリンタのような安価なプリンタにおいて、ジョブの管理情報を増やすことなく、かつ、液晶など表示部を付加することなく、プリンタの状態に応じた印刷ジョブキャンセルの禁止を可能にし、対象外の印刷ジョブがキャンセルされてしまうことを極力回避することができる画像形成装置およびその方法を提供すること可能になる。
【発明を実施するための最良の形態】
【００１０】
（第１の実施例）
図１は、本発明の実施例における画像形成装置（以下プリンタ）の利用環境を示す概略図である。
【００１１】
本実施例におけるプリンタ1000は、USBケーブル6000を介してローカルPC 2000と接続される。プリンタ1000はまたネットワーク接続機能を有し、ネットワーク7000を介してNTP server 3000や、クライアント１のPC 4000、クライアント２のPC 5000などと通信することも可能である。
【００１２】
図２は、本発明の実施例における図１記載のプリンタ1000の構成を示すブロック図である。
【００１３】
また図３は、本発明の実施例における図１記載ローカルPC 2000またはクライアント１ 4000等で動作するソフトウェアの構成を、ローカルPC 2000を代表にして示したブロック図である。
【００１４】
以下、図２および図３を使って、本実施例におけるプリンタ構成とその印刷動作の大まかな流れを説明する。
【００１５】
本実施例におけるプリンタ1000は、主にコントローラ部1100、ネットワークインタフェースカード（以下NIC）1200、および、エンジン部1300からなる。
【００１６】
プリンタ1000は、印刷イメージのレンダリングや印刷制御が、ローカルPC 2000、または、クライアント１ 4000やクライアント２ 5000などのコンピュータ上で動作する図３記載のドライバ2200やランゲージモニタ2300で実行されることを前提に設計されている。このため、コントローラ部1100は、CPU 1110、ASIC 1120、SDRAM 1130、EEPROM 1140、USBコネクタ1150、パネル1160のみで構成される。
【００１７】
CPU 1110は、レンダリングや印刷制御を自らが行うプリンタに比べて極めて少ない容量のROM 1111やRAM 1112と、エンジン部1300とのシリアル通信を行うためのシリアルコントローラ1112を内蔵している。ROM 1111には、各種制御プログラムや各種初期値が格納されている。また、RAM 1112には、ワークエリアのほか、コントローラ部1100が扱う画像データを除くデータを格納するための領域が用意される。RAM 1112は揮発性RAMであるため、電源がOFFされても保持しなければならない各種カウンタ値などの限られた情報は、EEPROM 1140に格納される。
【００１８】
ASIC 1120は、CPU i/f 1121、画像処理部1122、メモリコントローラ1123、USBコントローラ1124、NICコントローラ1125をひとつにまとめたパッケージである。例えば、ローカルPC 2000上のアプリケーション2100で印刷処理が実行されると、ドライバ2200が起動され、印刷イメージデータを生成する。生成されたイメージデータはランゲージモニタ2300に渡され、ランゲージモニタ2300は印刷を制御するための各種コマンドと生成されたイメージデータを予め定めておいたプロトコルに基づき、USBポートモニタ2500およびUSBケーブル6000を経由してプリンタ1000に転送する。
【００１９】
プリンタ1000では、転送されたコマンドやデータが、USBケーブル6000とUSBコネクタ1150を介してUSBコントローラ1125で受信される。CPU 1110ではCPU i/f 1211を介してUSBコントローラ1125の状態を常に監視している。
【００２０】
もし、コマンドが受信されていたならば、コマンドに応じた処理を実行する。もし応答が必要なコマンドであれば、CPU 1110はCPU i/f 1211を介してUSBコントローラ1125を制御して、その応答ステータスデータをローカルPC 2000に返送する。返送されたステータスは、USBケーブル6000およびUSBポートモニタ2500を介してランゲージモニタ2300に渡され、その内容はさらにステータスウィンドウ2400に通知される。ステータスウィンドウ2400は通知されたステータスに応じて適宜プリンタや印刷の状況をローカルPC 2000の表示部に表示する。
【００２１】
CPU 1110がレンダリングされた印刷イメージを転送するためのコマンドを受信したときは、USBコントローラ1124およびメモリコントローラ1123を制御して、コマンドに続くイメージデータをSDRAM 1130に格納させる。
【００２２】
ある程度のイメージデータがSDRAM 1130に格納されると、ランゲージモニタ2300はエンジン部1300の起動要求コマンドを発行する。同コマンドをCPU 1110が認識したならば、シリアルコントローラ 1113を制御してエンジン部1300に起動の要求を通知する。エンジン部1300が正常に起動され、用紙の搬送が正しく行われたことが、シリアルコントローラ1113を介して通知されたならば、メモリコントローラ1123および画像処理部1122を制御して、SDRAM 1130に格納されたイメージデータをエンジン部1300が実際の印刷動作で必要とするVIDEO信号に変換して、エンジン部1300に送出する。
【００２３】
ここで、エンジン部1300は、エンジン部全体の動作を制御するCPU 1310、コントローラ部1100との通信を行うためのシリアルコントローラ1320、コントローラ部1100から送られてくるVIDEO信号を受けるためのVIDEO制御部1330、ワークエリアや各種状態を示す値を保持するためのSDRAM 1340、CPU 1310で実行されるプログラムや参照される各種テーブル値などを格納するFLASH RAM 1350、紙搬送系やトナー補給系、レーザビーム制御系、中間転写系、定着器系などからなる記録部1360で構成される。CPU 1310は、コントローラ部1100から記録部1360の起動要求や用紙搬送要求を受けたならば、記録部1360を適宜制御し、必要に応じて状態をコントローラ部1100に通知する。もし画像形成が開始されたならば、VIDEO制御部1330を制御して、コントローラ部1100から渡されたVIDEO信号を記録部1360に供給して画像を形成させる。さらに、エンジン部には、両面印刷を可能にするためのメカ的機構が具備されている。例えば２ページの文書を１枚の記録紙に両面で印刷する場合、ランゲージモニタ2300が第１面を印刷する際に通常給紙口からの給紙かつ両面ユニットへの排紙を要求するパラメータを設定した前記印刷制御コマンドを発行し、さらに、第２面を印刷する際に両面ユニットからの給紙かつ通常排紙口への排紙を要求するパラメータを設定した同様なコマンドを発行することで実現される。
【００２４】
パネル1160は、複数のLEDと印刷ジョブのキャンセルを要求するためのジョブキャンセルキーとから構成され、LEDによりプリンタの印刷動作中、紙なし、トナー切れ等の状態をユーザに通知すると共に、ジョブキャンセルキーにより本発明に係る印刷ジョブのキャンセル操作をユーザに実行させることができる。
【００２５】
また、図３記載のステータスウィンドウ2400は、印刷ジョブの一時停止やキャンセルといったユーザの遠隔操作要求を受けることができるように構成され、その要求は適宜ランゲージモニタ2300に伝えられる。ランゲージモニタ2300は、伝えられた操作要求に応じたコマンドを前記定められたプロトコルに基づいてUSBポートモニタ2500およびUSBケーブル6000を経由してプリンタ1000に転送し、前記のごとくコントローラ部1100によって転送されたコマンドに応じた処理が実行される。
【００２６】
一方、NIC 1200は、NIC全体の動作を制御するCPU 1210、コントローラ部1100との通信を制御するためのコントローラ通信部1220、ワークエリアや各種状態を示す値を保持するためのSDRAM 1230、CPU 1210で実行されるプログラムや参照される各種テーブル値などを格納するFLASH RAM 1240、TCP/IPに基づいたネットワーク通信全体を制御するネットワーク通信部1250から構成される。
【００２７】
NIC 1200の役割のひとつは、クライアント１ 4000やクライアント２ 5000などと、コントローラ部1100との仲介を行うことである。各クライアントでは、ローカルPC 2000上のドライバ2200やランゲージモニタ2300と全く同一のソフトウェアに加え、USBポートモニタ2500の代わりにネットワークポートモニタ2600が動作している。ランゲージモニタ2300から発行される各種コマンドやイメージデータは、ネットワークポートモニタ2600およびネットワーク7000を介してNIC 1200に伝えられる。NIC 1200がネットワーク通信部1250で受けたコマンドは、コントローラ通信部1220を制御することでコントローラ部1100に渡される。コントローラ部1100は、USBコントローラ1124と同じようにNICコントローラ1125も常に監視していて、上記USBの場合と同様に受信したコマンドを処理し、必要に応じてNICコントローラ1125を介してステータスデータをNIC 1200に返す。NIC 1200は、コントローラ通信部1220で受け取ったステータスデータを、ネットワーク通信部1250を制御してコマンド発行元のクライアントに返送する。返送されたステータスは、前記USBの場合と同様に、ランゲージモニタ2300からステータスウィンドウ2400に渡され、適宜表示される。イメージデータのやりとりも上記USBの場合と同様である。
【００２８】
NIC 1200のもうひとつの役割は、RFC-1305で公知のNTPに基づいてNTP Server 3000にアクセスして時刻情報を取得し、さらにその内容をコントローラ部1100にコマンドとして伝えることである。NTP Server 2000のアドレスは、NIC 1200が実装しているWeb Server起動の設定することができる。設定されたアドレス情報はFLASH RAM 1240上に格納され、電源がOFFされても保持される。なお、TCP/IP制御やNTP処理は公知のもので本発明と直接関係ないため、より詳細な説明は割愛する。
【００２９】
図4は、図３記載のステータスウィンドウ2400上でユーザが「ジョブキャンセルキー設定」の要求をしたとき表示されるダイアログを示す図である。
デフォルトでは同図「ジョブキャンセルキー設定」のチェックボックスは、いずれもチェックされた状態になっている。
【００３０】
もし、印刷中のジョブキャンセルを禁止したければ、「印刷中のジョブもキャンセル可能にする」のチェックを外すことで、エラー中のジョブのみ削除の対象になる。一方、「エラー中のジョブをキャンセル可能にする」のチェックを外すと、自動的に「印刷中のジョブもキャンセル可能にする」のチェックが外れてグレーアウトされ、すべての印刷ジョブのキャンセルを禁止することができる。
【００３１】
ユーザが「ＯＫ」ボタンをクリックすると、同図であれば、デフォルトの設定がステータスウィンドウ2400からランゲージモニタ2300に伝えら、さらにランゲージモニタ2300はその設定内容を予め定められたコマンドプロトコルを使ってUSBポートモニタ2500(またはネットワークポートモニタ2600)およびUSBケーブル6000(またはネットワーク7000およびNIC 1200)を経由してプリンタ1000に転送し、転送された設定内容はコントローラ部1100によって図２記載のEEPROM 1140に保存される。
【００３２】
図５は、コントローラ部1100において周期的に実行されるジョブキャンセルの可否を判定する処理を記述したフローチャートである。
【００３３】
コントローラ部1100では、周期的にPANEL 1160に実装されたジョブキャンセルキーの状態を監視し(ステップS5-001)、もしキーが押下されたならば印刷中か否かを判定する(ステップS5-002)。
【００３４】
もしジョブが印刷中ならば、図４記載の「印刷中のジョブもキャンセル可能にする」のチェック内容を保持したEEPROM 1140の値を確認し(ステップS5-003)、許可されているならば、印刷中の印刷ジョブの中で最も新しいジョブIDを付加してその印刷ジョブのキャンセルをランゲージモニタ2300に要求する(ステップS5-004)。
【００３５】
もしキーが押下されたとき、印刷ジョブがエラー・停止中であったならば、図４記載の「エラー中のジョブをキャンセル可能にする」のチェック内容を保持したEEPROM 1140の値を確認し(ステップS5-005)、許可されているならば、印刷中の印刷ジョブの中で最も新しいジョブIDを付加してその印刷ジョブのキャンセルをランゲージモニタ2300に要求する(ステップS5-004)。
【００３６】
もし、印刷ジョブが印刷中でなく、かつ、エラー・停止中でもない、すなわち、印刷ジョブが存在しないとき(ステップS5-002)は、ジョブキャンセル可否判定処理で何も実行せずに終了する。
【００３７】
あるいは、キャンセルキーが押下されていない(ステップS5-001)、または、ジョブは印刷中だが印刷中ジョブのキャンセルが禁止されている(ステップS5-003)、または、ジョブはエラー・停止中だがエラー中のジョブキャンセルが禁止されている(ステップS5-005)ならば、ジョブキャンセル可否判定処理で何も実行せずに終了する。
【００３８】
ランゲージモニタ2300は、前記ステップS5-004により、印刷ジョブのキャンセル要求を受けたとき、指示されたIDの印刷ジョブがまだ残っているならば、その印刷ジョブに関わる印刷データの転送を止め、ジョブを中止し、必要に応じてOSが保持しているスプールデータを削除する。
【００３９】
（第２の実施例）
第１の実施例では、印刷イメージのレンダリングや印刷制御が、ローカルPC 2000、または、クライアント１ 4000やクライアント２ 5000などのコンピュータ上で動作する図３記載のドライバ2200やランゲージモニタ2300で実行される、いわゆるホストベースのプリンタを対象にした。しかしながら、本発明はホストベースのプリンタに限定されるものではない。いわゆるページ記述言語を使ったプリンタであっても、ジョブの管理情報を増やすことなく、かつ、液晶など表示部を付加しない構成で、本発明を適用することが可能である。
【００４０】
また第１の実施例では、図４で示したように、「印刷中のジョブもキャンセル可能にする」の設定は、「エラー中のジョブをキャンセル可能にする」の設定に従属になるように構成した。しかしながら本発明の第１および第２のキャンセル可否設定保持手段は、独立に構成しても何ら問題はない。
【００４１】
（本発明に係る他の実施の形態）
上述した本発明の各実施の形態におけるネットワーク機器及び端末装置を構成する各手段、並びにネットワーク機器の制御方法、端末装置の制御方法の各ステップは、コンピュータのＲＡＭやＲＯＭなどに記憶されたプログラムが動作することによって実現できる。このプログラム及び上記プログラムを記録したコンピュータ読み取り可能な記録媒体は本発明に含まれる。
【００４２】
また、本発明は、例えば、システム、装置、方法、プログラムもしくは記憶媒体等としての実施の形態も可能であり、具体的には、複数の機器から構成されるシステムに適用してもよいし、また、一つの機器からなる装置に適用してもよい。
【００４３】
なお、本発明は、前述した実施の形態の機能を実現するソフトウェアのプログラム（実施の形態では図３、図４、図５に示すフローチャートに対応したプログラム）を、システムあるいは装置に直接、あるいは遠隔から供給し、そのシステムあるいは装置のコンピュータが前記供給されたプログラムコードを読み出して実行することによっても達成される場合を含む。
【００４４】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【００４５】
その場合、プログラムの機能を有していれば、オブジェクトコード、インタプリタにより実行されるプログラム、ＯＳに供給するスクリプトデータ等の形態であってもよい。
【００４６】
プログラムを供給するための記録媒体としては、例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などがある。
【００４７】
その他、プログラムの供給方法としては、クライアントコンピュータのブラウザを用いてインターネットのホームページに接続し、前記ホームページから本発明のコンピュータプログラムそのもの、もしくは圧縮され自動インストール機能を含むファイルをハードディスク等の記録媒体にダウンロードすることによっても供給できる。
【００４８】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００４９】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【００５０】
また、コンピュータが、読み出したプログラムを実行することによって、前述した実施の形態の機能が実現される他、そのプログラムの指示に基づき、コンピュータ上で稼動しているＯＳなどが、実際の処理の一部または全部を行い、その処理によっても前述した実施の形態の機能が実現され得る。
【００５１】
さらに、記録媒体から読み出されたプログラムが、コンピュータに挿入された機能拡張ボードやコンピュータに接続された機能拡張ユニットに備わるメモリに書き込まれた後、そのプログラムの指示に基づき、その機能拡張ボードや機能拡張ユニットに備わるＣＰＵなどが実際の処理の一部または全部を行い、その処理によっても前述した実施の形態の機能が実現される。
【図面の簡単な説明】
【００５２】
【図１】本発明の実施例における画像形成装置（以下プリンタ）の利用環境を示す概略図である。
【図２】本発明の実施例における図１記載のプリンタ1000の構成を示すブロック図である。
【図３】本発明の実施例における図１記載ローカルPC 2000またはクライアント１ 4000等で動作するソフトウェアの構成を、ローカルPC 2000を代表にして示したブロック図である。
【図４】図３記載のステータスウィンドウ2400上でユーザが「ジョブキャンセルキー設定」の要求をしたとき表示されるダイアログを示す図である。
【図５】コントローラ部1100において周期的に実行されるジョブキャンセルの可否を判定する処理を記述したフローチャートである。
【符号の説明】
【００５３】
1000  プリンタ
1100  コントローラ部
1110  CPU
1111  ROM
1112  RAM
1113  シリアルコントローラ
1120  ASIC
1121  CPU i/f
1122  画像処理部
1123  メモリコントローラ
1124  USBコントローラ
1125  NICコントローラ
1130  SDRAM
1140  EEPROM
1150  USBコネクタ
1160  PANEL
1200  Network i/f Card
1210  CPU
1220  コントローラ通信部
1230  SDRAM
1240  FLASH RAM
1250  ネットワーク通信部
1300  エンジン部
1310  CPU
1320  シリアルコントローラ
1330  VIDEO制御部
1340  SDRAM
1350  FLASH RAM
2000  ローカルPC
2100  アプリケーション
2200  ドライバ
2300  ランゲージモニタ
2400  ステータスウィンドウ
2500  USBポートモニタ
2600  ネットワークポートモニタ
3000  NTP  Server
4000  Client 1
5000  Client 2
6000  USBケーブル
7000  ネットワーク
【図１】
2007058661.tif 000003
【図２】
2007058661.tif 000004
【図３】
2007058661.tif 000005
【図４】
2007058661.tif 000006
【図５】
2007058661.tif 000007